(57)【要約】【課題】  本発明は、構成は単純でありながら、ゴミの除去された雨水を効率よく取水することができ、且つ装置自体にゴミが溜まりにくい雨水取水装置を提供することを目的とする。【解決手段】  竪樋１２の途中に取り付けられ、竪樋１２を流れる雨水の一部を取水するための雨水取水装置１０であって、筒状をなし、且つ周壁１８の中間部がメッシュフィルター２０で形成された筒状濾過部材１４と、筒状濾過部材１４の外側下方に設けられ、メッシュフィルター２０から筒状濾過部材１４の外側へ流出した雨水を受ける受水部２６とを含んで構成され、受水部２６は、受水部２６に設けられた取水管２８によって外部と連通し、メッシュフィルター２０の外周面に、少なくとも１の導水部材２２が配設されている。【選択図】  図１
2007182700.tif 000002
【特許請求の範囲】
【請求項１】
竪樋の途中に取り付けられ、該竪樋を流れる雨水の一部を取水するための取水装置であって、
筒状をなし、且つ周壁の中間部がメッシュフィルターで形成された筒状濾過部材と、
該筒状濾過部材の外側下方に設けられ、前記メッシュフィルターから前記筒状濾過部材の外側へ流出した雨水を受ける受水部と、
を含んで構成され、
前記受水部は、該受水部に設けられた取水管によって外部と連通し、
前記メッシュフィルターの外周面に、少なくとも１の導水部材が配設されたことを特徴とする雨水取水装置。
【請求項２】
上部筒状部と、該上部筒状部の内径より小さい内径を有する下部筒状部とが段差部を介して連結された連結管を含み、
前記筒状濾過部材の下端部を、前記上部筒状部側から挿入することによって、前記周壁、前記上部筒状部及び前記段差部により前記受水部が形成された請求項１に記載の雨水取水装置。
【請求項３】
前記周壁のうち、前記メッシュフィルターの部分以外の上側周壁及び下側周壁と、前記メッシュフィルターの境界部において、
前記上側周壁の下端内周縁部及び／又は前記下側周壁の上端内周縁部が面取りされた請求項１又は請求項２に記載の雨水取水装置。
【請求項４】
前記導水部材の上面が、前記筒状濾過部材の外側に向かって斜め下方向に傾斜している請求項１乃至請求項３の何れかに記載の雨水取水装置。
【請求項５】
前記導水部材が配設された位置に対応する前記メッシュフィルターの内周面に、筒状の雨水誘導部材が内嵌された請求項１乃至請求項４の何れかに記載の雨水取水装置。
【請求項６】
前記筒状の雨水誘導部材の下端内周縁部及び／又は該筒状の雨水誘導部材の上端内周縁部が面取りされた請求項５に記載の雨水取水装置。
【請求項７】
前記導水部材の下面が、前記筒状濾過部材の外側に向かって斜め下方向に傾斜し、且つ前記雨水誘導部材の内周面と該下面とが、前記雨水誘導部材の下端内周縁部から該下面の上端に向けて延長される仮想面を介して滑らかに接続された請求項６に記載の雨水取水装置。
【請求項８】
前記メッシュフィルターの内周面に、螺旋状の雨水誘導部材が内嵌された請求項１乃至請求項４の何れかに記載の雨水取水装置。
【請求項９】
前記螺旋状の雨水誘導部材の上側内周縁部及び／又は該螺旋状の雨水誘導部材の下側内周縁部が面取りされた請求項８に記載の雨水取水装置。
【請求項１０】
前記導水部材が着脱自在である請求項１乃至請求項９の何れかに記載の雨水取水装置。
【発明の詳細な説明】
【技術分野】
【０００１】
本発明は、竪樋を流れる雨水の一部を取水するための雨水取水装置に関する。
【背景技術】
【０００２】
近年、水不足が深刻な問題となっており、雨水も水資源として有効利用しようとする意識が高まっている。
【０００３】
雨水を取水する方法としては、住宅等に設置されている竪樋の一部から取水する方法が一般的である。以前より、竪樋を流れる雨水を取水するために、竪樋の途中に取り付けられる取水装置は種々開示されている。しかし、雨水には落ち葉や昆虫等のゴミが含まれているため、取水装置や竪樋自体がこれらのゴミで詰まってしまい、雨水の取水ができなくなる問題があった。
【０００４】
そこで、雨水に含まれるゴミを除去するためのフィルターを備えた取水装置が開示されている（例えば、特許文献１及び２参照。）。図１１に示した特許文献１に係る雨水取水継手８０は、部分的に外筒８２と内筒８３よりなる二重筒状構造を有し、この外筒８２と内筒８３の間に雨水溜８８が形成され、この雨水溜８８に溜まった雨水が取水管８９を介して外部の雨水タンク（不図示）に貯留される。特に、この雨水取水継手８０では、雨水溜８８の上方全面を覆うように外筒８２と内筒８３との間に濾過部材８４が載置されている。つまり、雨水取水継手８０によると、濾過部材８４によってゴミが除去された雨水を取水することができる。
【０００５】
また、図１２に示した特許文献２に係る雨水分岐装置９０も、基本的には、内筒９１と外筒９２よりなる二重筒状構造を有しており、内筒９１の殆どがメッシュフィルター９３で構成されている。竪樋（不図示）から竪樋連結管９４に流入した雨水は、内筒９１のメッシュフィルター９３に沿って流れ、下側フィルター押さえ９５の上端に当たって、メッシュフィルター９３の内側から外側に偏向される流れと、そのまま竪樋（不図示）に流下していく流れになる。そして、メッシュフィルター９３の外側に達した雨水は、外筒９２、内筒ガイド９６及び下側竪樋連結管９７で形成される貯留部９８に至り、取水管９９を通ってタンク（不図示）に貯留される。つまり、雨水分岐装置９０によっても、メッシュフィルター９３によってゴミが除去された雨水を取水することができる。
【特許文献１】特開２００２−７００８６号公報
【特許文献２】特開２００３−９６９９６号公報
【発明の開示】
【発明が解決しようとする課題】
【０００６】
しかし、特許文献１に係る雨水取水継手８０では、取水される雨水からゴミを除去することはできるが、濾過部材８５が雨水の流れる方向に対して斜めに設けられているため、濾過部材８５上にゴミが堆積する恐れがある。特に、小雨の場合には、濾過部材８５上に堆積したゴミを雨水で洗い流すことが困難となり、濾過部材８５上をゴミが塞いでしまうと、雨水の取水効率が格段に低下することとなる。
【０００７】
一方、特許文献２に係る雨水分岐装置９０では、メッシュフィルター９３が、雨水の流れる方向に対して平行に設けられているため、メッシュフィルター９３の内側にゴミが堆積する恐れは殆ど無い。しかし、この雨水分岐装置９０によると、メッシュフィルター９３に沿って流れる雨水のうち、下側フィルター押さえ９５の上端に当たって、メッシュフィルター９３の内側から外側に偏向された雨水しか取水することができず、取水効率の面から見て、あまり効率的ではない。また、メッシュフィルター９３に沿って流れるうちに自然にメッシュフィルター９３の外側に流出した雨水も、メッシュフィルター９３に沿って更に流れていくうちに再びメッシュフィルター９３の内側に戻ってしまうため、この点から見ても取水効率がよいとは言い難い。
【０００８】
そこで本発明者は、上記の問題点に鑑み、構成は単純でありながら、ゴミの除去された雨水を効率よく取水することができ、且つ装置自体にゴミが溜まりにくい雨水取水装置を提供するべく鋭意検討を重ねた結果、本発明に至ったのである。
【課題を解決するための手段】
【０００９】
即ち、本発明の要旨とするところは、竪樋の途中に取り付けられ、該竪樋を流れる雨水の一部を取水するための取水装置であって、筒状をなし、且つ周壁の中間部がメッシュフィルターで形成された筒状濾過部材と、該筒状濾過部材の外側下方に設けられ、前記メッシュフィルターから前記筒状濾過部材の外側へ流出した雨水を受ける受水部と、を含んで構成され、前記受水部は、該受水部に設けられた取水管によって外部と連通し、前記メッシュフィルターの外周面に、少なくとも１の導水部材が配設された雨水取水装置であることにある。
【００１０】
かかる雨水取水装置において、上部筒状部と、該上部筒状部の内径より小さい内径を有する下部筒状部とが段差部を介して連結された連結管を含み、前記筒状濾過部材の下端部を、前記上部筒状部側から挿入することによって、前記周壁、前記上部筒状部及び前記段差部により前記受水部が形成されたことにある。
【００１１】
かかる雨水取水装置における、前記周壁のうち、前記メッシュフィルターの部分以外の上側周壁及び下側周壁と、前記メッシュフィルターの境界部において、前記上側周壁の下端内周縁部及び／又は前記下側周壁の上端内周縁部は面取りされ得る。
【００１２】
かかる雨水取水装置において、前記導水部材の上面は、前記筒状濾過部材の外側に向かって斜め下方向に傾斜していることが好ましい。
【００１３】
かかる雨水取水装置において、前記導水部材が配設された位置に対応する前記メッシュフィルターの内周面に、筒状の雨水誘導部材が内嵌され得る。
【００１４】
かかる雨水取水装置において、前記筒状の雨水誘導部材の下端内周縁部及び／又は該筒状の雨水誘導部材の上端内周縁部は面取りされ得る。
【００１５】
かかる雨水取水装置において、前記導水部材の下面が、前記筒状濾過部材の外側に向かって斜め下方向に傾斜し、且つ前記雨水誘導部材の内周面と該下面とが、前記雨水誘導部材の下端内周縁部から該下面の上端に向けて延長される仮想面を介して滑らかに接続され得る。
【００１６】
かかる雨水取水装置において、前記メッシュフィルターの内周面に、螺旋状の雨水誘導部材が内嵌され得る。
【００１７】
かかる雨水取水装置において、前記螺旋状の雨水誘導部材の上側内周縁部及び／又は該螺旋状の雨水誘導部材の下側内周縁部は面取りされ得る。
【００１８】
かかる雨水取水装置において、前記導水部材は着脱自在であることが好ましい。
【発明の効果】
【００１９】
本発明の雨水取水装置によると、構造は単純でありながら、ゴミが除去された雨水を容易に取水することができる。特に、本発明に係るメッシュフィルターの外周面には少なくとも１の導水部材が周設されているため、メッシュフィルターから筒状濾過部材の外側へ流出した雨水が、メッシュフィルターから再び筒状濾過部材内へ流入することを防止できると共に、雨水の流出箇所の下方に位置する導水部材によりメッシュフィルターの表面から雨水を分離することができるため、雨水の取水効率の向上が図られる。
【００２０】
また、本発明に係るメッシュフィルターが、雨水の流れる方向に対して平行に設けられているため、メッシュフィルターに大きなゴミが堆積することがない。従って、雨水の取水効率が低下することがなく、メッシュフィルターの清掃作業の手間も軽減できる。
【００２１】
更に、本発明に係るメッシュフィルターの表面にスライム状の汚れ等が付着した場合、メッシュフィルターの外周面の汚れは竪樋に取り付けたままの状態でブラシ等により直接清掃することができる。一方、メッシュフィルターの内周面の清掃をする場合であっても、本発明の雨水取水装置は竪樋から容易に取り外すことができるため、内周面の清掃も容易に行える。
【００２２】
また、本発明に係る導水部材の上面を、筒状濾過部材の外側に向かって斜め下方向に傾斜させることによって、導水部材で分離された雨水を、より円滑に導水部材の外周端部側へ移動させることができ、雨水を効率よく取水することができる。
【００２３】
また更に、本発明に係る筒状濾過部材の上側周壁及び下側周壁と、メッシュフィルターとの境界部において、上側周壁の下端内周縁部及び／又は下側周壁の上端内周縁部が面取りされることによって、雨水の取水効率の向上が図られ、また、メッシュフィルターの内周面に沿って流下してきたゴミが円滑に下側周壁内へと誘導されるため、境界部にゴミが溜まることがなく、清掃作業の手間も軽減できる。
【００２４】
また、本発明に係るメッシュフィルターの内周面に、筒状の雨水誘導部材を内嵌させる、或いは螺旋状の雨水誘導部材を内嵌させることによって、メッシュフィルターの内周面に沿って流下する雨水の一部をメッシュフィルターの外側へ誘導することができるため、取水効率の向上が図られる。更に、この雨水誘導部材は筒状濾過部材の周壁の一部を構成することとなり、メッシュフィルターを内側から補強する効果も得られる。
【００２５】
また、上記の筒状の雨水誘導部材の上端内周縁部及び／又は下端内周縁部、或いは螺旋状の雨水誘導部材の上側内周縁部及び／又は下側内周縁部が面取りされることによって、雨水誘導部材の上端縁部にゴミが溜まることがなく、清掃作業の手間が軽減でき、また、雨水誘導部材の内周面に沿って流下してきた雨水を円滑にメッシュフィルターの外側へと誘導することができ、取水効率の向上が図られる。
【００２６】
更にまた、本発明に係る導水部材の下面を、筒状濾過部材の外側に向かって斜め下方向に傾斜させ、且つ筒状の雨水誘導部材の内周面と該下面とを、雨水誘導部材の下端内周縁部から該下面の上端に向けて延長される仮想面を介して滑らかに接続することにより、雨水誘導部材の内周面に沿って流下してきた雨水は、表面張力によって更に円滑にメッシュフィルターの外側へと誘導されることとなり、更なる取水効率の向上が図られる。
【００２７】
また、本発明に係る導水部材を着脱自在とすることによって、メッシュフィルターの清掃作業を更に容易に行い得る。
【発明を実施するための最良の形態】
【００２８】
以下、本発明の雨水取水装置の実施形態について、図面に基づき説明する。なお、本発明は以下に示す実施形態に限定されるものではない。
【００２９】
本実施の形態に係る雨水取水装置１０は、建物の側壁等に垂直に設置された竪樋１２の途中に取り付けられ、竪樋１２を流れる雨水の一部を取水するための取水装置である。この雨水取水装置１０は、図１に示したように、筒状濾過部材１４と、連結管１６とを含んで構成されており、上側竪樋１２ａと下側竪樋１２ｂとの間に設置される。
【００３０】
筒状濾過部材１４は、全体形状が筒状をなし、筒状濾過部材１４に係る周壁１８のうち、上側周壁１８ａと下側周壁１８ｂとの間の中間部の周壁１８ｃがメッシュフィルター２０で形成されている。また、メッシュフィルター２０の外周面には、上下方向に所定の間隔を空けて、複数の導水部材２２が配設されている。
【００３１】
一方の連結管１６は、上部筒状部１７ａと、この上部筒状部１７ａの内径より小さい内径を有する下部筒状部１７ｂとが、段差部２４を介して連結されることによって形成されている。つまり、連結管１６の中心軸を含む縦方向外断面は、下に略凸の形状をなしている。なお、本実施形態に係る連結管１６において、下部筒状部１７ｂは、その中間部で管径が滑らかに変化しているが、下部筒状部１７ｂの形状はこれに限定されず、筒状濾過部材１４の外径及び下側竪樋１２ｂの内径等に応じて種々変形されるものであり、本発明に係る上部筒状部及び下部筒状部には、このような中間部で管径が滑らかに変化する形状のものも含まれる。
【００３２】
そして、これら筒状濾過部材１４と連結管１６とは、以下のようにして連結されている。つまり、筒状濾過部材１４の下端部２１を、上部筒状部１７ａ側（連結管１６の上方）から挿入して下部筒状部１７ｂに嵌合させることによって、筒状濾過部材１４が連結管１６内に固定される。また、筒状濾過部材１４を連結管１６内に固定することで、筒状濾過部材１４の周壁１８に係る下側周壁１８ｂ、上部筒状部１７ａ及び段差部２４により受水部２６が形成される。なお、この受水部２６は、上部筒状部１７ａに設けられた取水管２８によって雨水取水装置１０の外部と連通している。
【００３３】
次に、以上の構成から成る雨水取水装置１０の竪樋１２への取り付け方法、及びこの雨水取水装置１０による雨水の取水方法について説明する。
【００３４】
本実施形態の雨水取水装置１０は、竪樋１２の途中、すなわち上側竪樋１２ａと下側竪樋１２ｂとの間に取り付けられる。具体的には、まず筒状濾過部材１４の上端開口１５内へ上側竪樋１２ａの下端部１１を挿入し、且つ連結管１６の縦方向の長さ分だけ筒状濾過部材１４を上方へ移動させる。そして、筒状濾過部材１４を上方へ移動させた状態で、下側竪樋１２ｂの上端開口１３内へ連結管１６の下端部１９、すなわち下部筒状部１７ｂの下端部１９を挿入することによって、下側竪樋１２ｂに連結管１６が取り付けられる。最後に、上方へ移動させておいた筒状濾過部材１４を下方へ移動させて、筒状濾過部材１４の下端部２１を上部筒状部１７ａ側（連結管１６の上方）から連結管１６内へ挿入し、下端部２１を連結管１６に係る下部筒状部１７ｂに嵌合することによって、連結管１６内に筒状濾過部材１４が固定されると共に、上記のとおり、連結管１６内に受水部２６が形成される。
【００３５】
上記のようにして、竪樋１２の途中に雨水取水装置１０を取り付けることによって、竪樋１２を流れる雨水の一部を容易に取水することができる。具体的には、上側竪樋１２ａの内周面に沿って流下してきた、落ち葉等のゴミを含む雨水が、まず筒状濾過部材１４に係る上側周壁１８ａの内周面に沿って筒状濾過部材１４内を流下し、メッシュフィルター２０で形成された中間部の周壁１８ｃに達する。メッシュフィルター２０に達した雨水は、メッシュフィルター２０に沿って流下していく過程で、その一部がメッシュフィルター２０によって濾過された後、筒状濾過部材１４の外側へと流出する。この筒状濾過部材１４の外側へ流出した雨水はメッシュフィルター２０に沿って更に流下し、導水部材２２によってメッシュフィルター２０の表面から分離される。そして、この分離された雨水は、導水部材２２の上面を伝って導水部材２２の外周端部２２ａ側へ移動した後、外周端部２２ａから下方へ滴下し、連結管１６内に形成された受水部２６に溜められる。最後に、受水部２６に溜められた雨水が、取水管２８を介して雨水タンク（不図示）に貯水される。
【００３６】
以上のように、本実施形態の雨水取水装置１０によると、構成は単純でありながら、ゴミが除去された雨水を容易に取水することができる。特に、本実施形態に係るメッシュフィルター２０の外周面には導水部材２２が複数周設されているため、メッシュフィルター２０から筒状濾過部材１４の外側へ流出した雨水が、メッシュフィルター２０から再び筒状濾過部材１４内へ流入することを防止できると共に、雨水の流出箇所に応じて、その下方に配設された導水部材２２によりメッシュフィルター２０の表面から雨水を分離することができるため、雨水の取水効率の向上が図られる。
【００３７】
また、メッシュフィルター２０は、雨水の流れる方向に対して平行に設けられているため、メッシュフィルター２０に大きなゴミが堆積することがない。従って、雨水の取水効率が低下することがなく、メッシュフィルター２０自体の清掃作業の手間も軽減できる。
【００３８】
更に、メッシュフィルター２０の表面にスライム状の汚れ等が付着した場合、メッシュフィルター２０の外周面の汚れは竪樋１２に取り付けたままの状態でもブラシ等で直接清掃することができる。一方、メッシュフィルター２０の内周面の清掃をする際であっても、本実施形態の雨水取水装置１０は竪樋１２から容易に取り外すことができるため、竪樋１２から取り外して内周面をブラシ等で直接清掃することができる。
【００３９】
以上、本実施形態の雨水取水装置１０について詳述したが、本発明は上記の実施形態に限定されない。例えば、本実施形態の雨水取水装置１０は、図３に示すような、筒状濾過部材１４を覆って、下端部３１が連結管１６の上端開口１６ａに嵌合されるカバー３０を備えていることが好ましい。筒状濾過部材１４をカバー３０で覆うことで、外部からの影響によってメッシュフィルター２０が汚れたり、受水部２６にゴミが溜まったりすることを防止できる。また、カバー３０を透明とすることで、メッシュフィルター２０の汚れ具合を容易に観察できる。
【００４０】
更に、本実施形態の雨水取水装置１０に係る筒状濾過部材１４は、上側竪樋１２ａに直接連結されているが、上側竪樋１２ａに別体の筒状連結管（不図示）等を介して筒状濾過部材１４が連結されてもよい。
【００４１】
また更に、本実施形態の雨水取水装置１０に係る導水部材２２は、各図に示した形状に限定されるものではないが、導水部材２２の上面は、各図に示したように、筒状濾過部材１４の外側に向かって斜め下方向に傾斜していることが好ましい。上記のとおり、メッシュフィルター２０を介して筒状濾過部材１４の外側へ流出した雨水は、メッシュフィルター２０に沿って流下した後、導水部材２２によってメッシュフィルター２０の表面から分離されるが、導水部材２２の上面を傾斜させて、導水部材２２の外周端部２２ａを斜め下方向に位置させることによって、導水部材２２で分離された雨水を、より円滑に導水部材２２の外周端部２２ａ側へ移動させることができ、雨水を効率よく受水部２６へと導くことができる。
【００４２】
図４（ａ）及び図４（ｂ）に、本発明に係る筒状濾過部材の他の実施形態である筒状濾過部材１４ａを示す。なお、同図（ａ）は筒状濾過部材１４ａの上部拡大断面図、同図（ｂ）は下部拡大断面図である。同図（ａ）及び（ｂ）に示した筒状濾過部材１４ａも、基本的には筒状濾過部材１４と同様、上側周壁１８ａ、下側周壁１８ｂ及びメッシュフィルター２０で構成されており、メッシュフィルター２０の外周面には、上下方向に所定の間隔を空けて、複数の導水部材２２が周設されている。更に、この筒状濾過部材１４ａでは、上側周壁１８ａ及び下側周壁１８ｂと、メッシュフィルター２０の境界部４０ａ、４０ｂにおいて、上側周壁１８ａの下端内周縁部４１及び下側周壁１８ｂの上端内周縁部４２が面取りされている。
【００４３】
このように、まず上側周壁１８ａの下端内周縁部４１が面取りされることによって、上側周壁１８ａとメッシュフィルター２０の境界部４０ａでは、上側竪樋１２ａの内周面に沿って流下してきた雨水が、上側周壁１８ａを介して円滑にメッシュフィルター２０の外側へと誘導されるため、雨水の取水効率の向上が図られる。一方、下側周壁１８ｂの上端内周縁部４２が面取りされることによって、下側周壁１８ｂとメッシュフィルター２０の境界部４０ｂでは、メッシュフィルター２０の内周面に沿って流下してきたゴミが、円滑に下側周壁１８ｂ内へと誘導されるため、境界部４０ｂにゴミが溜まることがなく、清掃作業の手間も軽減できる。
【００４４】
なお、本発明に係る筒状濾過部材において、必ずしも上側周壁１８ａの下端内周縁部４１及び下側周壁１８ｂの上端内周縁部４２の両方を面取りする必要はなく、何れか一方のみが面取りされた態様であってもよい。つまり、上側周壁１８ａの下端内周縁部４１のみが面取りされた筒状濾過部材であれば、雨水が円滑にメッシュフィルター２０の外側へ誘導されると共に、境界部４０ｂにおいても、メッシュフィルター２０の内側を流下してきた雨水の一部を、下側周壁１８ｂの上端縁部によって外側へ流出させることができる。また、下側周壁１８ｂの上端内周縁部４２のみが面取りされた筒状濾過部材であれば、境界部４０ａにおいて、雨水がメッシュフィルター２０の外側へ積極的に誘導されることはないが、この雨水にはゴミが含まれているため、メッシュフィルター２０にゴミが誘導されることもなく、メッシュフィルター２０が汚れにくくなる。
【００４５】
以上、本発明の雨水取水装置に係る筒状濾過部材の一実施形態について詳述したが、筒状濾過部材は上記の実施形態に限定されない。例えば、図５に示した雨水取水装置１０ａは、図１に示した雨水取水装置１０と略同様の構成を含んでなるものであるが、この雨水取水装置１０ａに係る筒状濾過部材４５は、メッシュフィルター２０の外周面に配設された導水部材２２の配設位置に対応するメッシュフィルター２０の内周面に、筒状濾過部材４５の周壁１８の一部を構成する筒状の雨水誘導部材４６が、上下方向に間隔を空けて複数内嵌されている。
【００４６】
このように、メッシュフィルター２０の内周面に雨水誘導部材４６を複数内嵌させることによって、メッシュフィルター２０の内周面に沿って流下する雨水の一部を、各導水部材２２の上方に位置する雨水誘導部材４６の上端縁部４７でメッシュフィルター２０の外側へ誘導することができるため、筒状濾過部材１４に比べて取水効率を向上することができる。更に、雨水誘導部材４６は筒状濾過部材４５の周壁１８の一部を構成することとなり、メッシュフィルター２０を内側から補強する効果も得られるため、メッシュフィルター２０の外周面をブラシ等で直接清掃する際に、メッシュフィルター２０が内側方向へ凹む恐れもない。
【００４７】
また、雨水誘導部材の他の実施形態として、図６に示した筒状濾過部材４５に内嵌された雨水誘導部材４６ａは、各々の雨水誘導部材４６ａに係る上端内周縁部４８及び下端内周縁部４９が、上述した上側周壁１８ａの下端内周縁部４１等と同様、面取りされている。つまり、雨水誘導部材４６ａの上端内周縁部４８を面取りすることによって、メッシュフィルター２０の内周面に沿って流下してきたゴミが、円滑に筒状濾過部材４５内を下方へと誘導されるため、雨水誘導部材４６ａの上端縁部にゴミが溜まることがなく、清掃作業の手間が軽減できる。一方、雨水誘導部材４６ａの下端内周縁部４９を面取りすることによって、雨水誘導部材４６ａの内周面に沿って流下してきた雨水を円滑にメッシュフィルター２０の外側へと誘導することができ、取水効率の向上が図られる。
【００４８】
なお、本実施形態の筒状濾過部材４５において、必ずしも雨水誘導部材４６ａの上端内周縁部４８及び下端内周縁部４９の両方を面取りする必要はなく、何れか一方のみが面取りされた態様であってもよい。つまり、雨水誘導部材４６ａの下端内周縁部４９のみが面取りされた態様であれば、雨水が円滑にメッシュフィルター２０の外側へ誘導されると共に、メッシュフィルター２０の内周面を流下してきた雨水の一部を、雨水誘導部材４６ａの上端縁部４７によって外側へ流出させることもでき、取水効率の向上が図られる。また、雨水誘導部材４６ａの上端内周縁部４８のみが面取りされた態様であれば、ゴミを含む雨水が、メッシュフィルター２０の外側へと積極的に誘導されることはなく、メッシュフィルター２０が汚れにくくなる。
【００４９】
更に、雨水誘導部材の他の実施形態として、図７に示したように、筒状濾過部材４５ａに係るメッシュフィルター２０の内周面に、螺旋状の雨水誘導部材４６ｂが内嵌されてもよい。雨水誘導部材４６ｂを螺旋状とすることによって、メッシュフィルター２０の内周面を流下する雨水の流れが螺旋状の流れへと変更されるため、雨水がメッシュフィルター２０の外側へ誘導され易くなり、雨水の取水効率が向上される。また更に、同図に示した螺旋状の雨水誘導部材４６ｂのように、上側内周縁部５１を面取りすることによって、上述した筒状の雨水誘導部材４６ａの場合と同様、メッシュフィルター２０の内周面に沿って流下してきたゴミは、円滑に筒状濾過部材４５ａ内を下方へと誘導されるため、雨水誘導部材４６ｂの上側縁部にゴミが溜まることがなく、清掃作業の手間が軽減できる。一方、雨水誘導部材４６ｂの下側内周縁部５２を面取りすることによって、雨水誘導部材４６ｂの内周面に沿って流下してきた雨水を円滑にメッシュフィルター２０の外側へと誘導することができ、取水効率の向上が図られる。
【００５０】
また、本発明に係る雨水誘導部材を備えた筒状濾過部材の他の実施形態として、図８に示した筒状濾過部材４５ｂは、メッシュフィルター２０の外周面に配設された導水部材２３の配設位置に対応するメッシュフィルター２０の内周面に、上端内周縁部４８及び下端内周縁部４９が面取りされた雨水誘導部材４６ａが複数内嵌されている。ここで、筒状濾過部材４５ｂに配設された導水部材２３の下面２３ａは、筒状濾過部材４５ｂの外側に向かって斜め下方向に傾斜しており、更に、雨水誘導部材４６ａの内周面５５とこの導水部材２３の下面２３ａとが、上記の雨水誘導部材４６ａの下端内周縁部４９から下面２３ａの上端２３ｂに向けて延長される仮想面を介して滑らかに接続されている。
【００５１】
すなわち、雨水誘導部材４６ａの内周面５５と導水部材２３の下面２３ａとが、上記の仮想面を介して滑らかに接続されることとなるように、導水部材２３の配設位置に対応させて雨水誘導部材４６ａをメッシュフィルター２０の内周面に内嵌させることにより、雨水誘導部材４６ａの内周面５５に沿って流下してきた雨水が、表面張力によって導水部材２３の下面２３ａへと誘導されるため、筒状濾過部材４５に比べて更に円滑にメッシュフィルター２０の外側へと雨水を誘導することができ、取水効率の更なる向上が図られる。
【００５２】
以上に例示した本発明の実施形態に係る雨水取水装置は、本発明の技術的思想を実質的に限定するものと解してはならない。本発明は、その要旨を逸脱しない範囲で、当業者の創意と工夫により、適宜に改良、変更又は追加をしながら実施できる。例えば、本発明の雨水取水装置に係るメッシュフィルターのメッシュサイズは、取水された雨水の用途に応じて任意に選択され、特に限定されるものではないが、雨水の濾過機能と取水効率の観点から、１０〜１００メッシュが好ましく、より好ましいのは４０〜６０メッシュである。
【００５３】
また、本発明の雨水取水装置に係る連結管内への筒状濾過部材の固定方法、連結管の形状等も上記の態様に限定されず、例えば図９に示したように、連結管１６に係る下部筒状部１７ｂ内に設けた溝部５０に筒状濾過部材４５の下端部２１を差し込むことによって、連結管１６内に筒状濾過部材４５が固定されてもよい。また、連結管１６の形状についても、各実施形態に示したような、段差部２４が水平をなし、上部筒状部１７ａ、段差部２４及び下部筒状部１７ｂがそれぞれ直角をなして連結された形状に限定されず、例えば滑らかな段差部、つまり上部筒状部１７ａから下部筒状部１７ｂにかけて斜め下方向に傾斜、或いは湾曲した段差部によって、上部筒状部１７ａと下部筒状部１７ｂとが連結された形状であってもよい。
【００５４】
また、本発明の雨水取水装置において、必ずしも連結管を備えている必要はなく、筒状濾過部材の外側下方に、筒状濾過部材に係るメッシュフィルターから流出した雨水を受けることのできる受水部が設けられていればよい。つまり、例えば図１０（ａ）に示したように、筒状濾過部材１４の外側下方において、筒状濾過部材１４に係る下側周壁１８ｂと、下側周壁１８ｂの周囲に配設された筒状の側壁５３と、下側周壁１８ｂと側壁５３の下端周縁とを連結する底部５４と、によって形成された受水部２６ａを備えた雨水取水装置１０ｂのような態様であってもよい。或いは、下側竪樋１２ｂと、下側竪樋１２ｂの周囲に配設された筒状の側壁５３と、下側竪樋１２ｂと側壁５３の下端周縁とを連結する底部５４と、によって形成された受水部２６ｂを備えた態様であってもよい。更には、同図（ｂ）に示したように、下側周壁１８ｂ又は下側竪樋１２ｂから斜め上方に向かって側壁５３ａを周設することによって、筒状濾過部材１４の外側下方に漏斗状の受水部２６ｃが設けられた雨水取水装置１０ｃのような態様であってもよい。なお、これらの態様に係る受水部２６ａ〜２６ｃは、筒状濾過部材１４に一体に形成されてもよく、或いは側壁５３や底部５４等で予め形成された別体の筒状部材を、筒状濾過部材１４や下側竪樋１２ｂに外嵌させることによって形成されてもよい。
【００５５】
また、本発明に係る筒状濾過部材において、メッシュフィルターの外周面に配設される導水部材は、各図に示したように複数配設される必要はなく、少なくとも１の導水部材がメッシュフィルターの外周面に配設されていれば、雨水を効率よく取水することができる。但し、取水効率の更なる向上を図るという観点から、２以上の複数の導水部材を配設することが好ましい。
【００５６】
更に、この導水部材は接着剤等で固定されてもよいが、着脱式、或いは上下方向に可動式とすることが好ましい。導水部材をメッシュフィルターの外周面から着脱自在とすることによって、メッシュフィルターの清掃作業を更に容易に行い得る。特に、図８に示した筒状濾過部材４５ｂの態様では、雨水の流出箇所におけるメッシュフィルター２０の外周面が導水部材２３で覆われており、直接ブラシ等で清掃することは困難であるが、この導水部材２３を筒状濾過部材４５ｂから取り外す、或いは上方向に移動させて雨水の流出箇所に係るメッシュフィルター２０を露出させることによって、メッシュフィルター２０の清掃作業を容易に行うことができる。
【００５７】
また更に、本発明の雨水取水装置の材質も、塩ビ、ステンレス、鉄、銅等、特に限定されず、本発明に係る筒状濾過部材や連結管の水平方向外断面形状も特に限定されず、竪樋の形状に合わせて、円形や正方形等とすることができる。
【図面の簡単な説明】
【００５８】
【図１】本発明の実施形態に係る雨水取水装置の一部破壊断面図である。
【図２】図１に示した雨水取水装置に係る筒状濾過部材の側面図である。
【図３】本発明の雨水取水装置の他の実施形態を示した断面図である。
【図４（ａ）】本発明に係る筒状濾過部材の他の実施形態を示した上部拡大断面図である。
【図４（ｂ）】本発明に係る筒状濾過部材の他の実施形態を示した下部拡大断面図である。
【図５】本発明に係る筒状濾過部材の他の実施形態を示した断面図である。
【図６】本発明に係る筒状濾過部材の他の実施形態を示した上部拡大断面図である。
【図７】本発明に係る筒状濾過部材の他の実施形態を示した断面図である。
【図８】本発明に係る筒状濾過部材の他の実施形態を示した上部拡大断面図である。
【図９】本発明に係る連結管の他の実施形態を示した部分拡大断面図である。
【図１０】本発明に係る受水部の他の実施形態を示した断面図である。
【図１１】従来の雨水取水継手の断面図である。
【図１２】従来の雨水分岐装置の断面図である。
【符号の説明】
【００５９】
１０、１０ａ：雨水取水装置
１２ａ：上側竪樋
１２ｂ：下側竪樋
１４、１４ａ、４５、４５ａ、４５ｂ：筒状濾過部材
１６：連結管
１７ａ：上部筒状部
１７ｂ：下部筒状部
１８ａ：上側周壁
１８ｂ：下側周壁
２０：メッシュフィルター
２１：筒状濾過部材の下端部
２２、２３：導水部材
２３ａ：導水部材の下面
２４：段差部
２６、２６ａ〜２６ｃ：受水部
２８：取水管
４０ａ、４０ｂ：境界部
４１：上側周壁の下端内周縁部
４２：下側周壁の上端内周縁部
４６、４６ａ、４６ｂ：雨水誘導部材
４８：雨水誘導部材の上端内周縁部
４９：雨水誘導部材の下端内周縁部
５１：雨水誘導部材の上側内周縁部
５２：雨水誘導部材の下側内周縁部
５５：雨水誘導部材の内周面
【図１】
2007182700.tif 000003
【図２】
2007182700.tif 000004
【図３】
2007182700.tif 000005
【図４（ａ）】
2007182700.tif 000006
【図４（ｂ）】
2007182700.tif 000007
【図５】
2007182700.tif 000008
【図６】
2007182700.tif 000009
【図７】
2007182700.tif 000010
【図８】
2007182700.tif 000011
【図９】
2007182700.tif 000012
【図１０】
2007182700.tif 000013
【図１１】
2007182700.tif 000014
【図１２】
2007182700.tif 000015